(57)【要約】      （修正有）【課題】回動手摺部を設けた介助バーを、簡単に、かつ強固にベッドの側柵に取り付けることができるベッド用介助バーを提供する。【解決手段】側柵の上下の水平部１５，１６に、介助バー２の固定部分３の上下に設けた水平部３２、３３の取付部材６を介して取り付け、固定部分の垂直部３１の上下に一対の軸受部３４、３５を設け、軸受部に回動部分４の回動軸４１を軸支させ、回動軸の上部には介助バーの回動手摺部４２の上水平部を接続し、下部には介助バーの手摺支持部の接続し、下方の軸受部の底部にアジャスタ５を設け、アジャスタで上下の高さを調整してアジャスタの下部固定部５２でベッドのサイドフレーム１３に強固に固定する。【選択図】図７
2016077642.tif 000002
【特許請求の範囲】
【請求項１】
ベッドのサイドフレームに固定する側柵に取り付ける介助バーであって、
前記側柵の上下の水平部に、該介助バーの固定部分の上下に設けた水平部の取付部材を介して取り付け、
前記固定部分の垂直部の上下に一対の軸受部を設け、
該上下の軸受部に回動部分の回動軸を軸支させ、
該回動軸の上部には介助バーの回動手摺部の上水平部を接続し、下部には介助バーの手摺支持部を接続し、
前記下方の軸受部の底部にアジャスタを設け、該アジャスタで上下の高さを調整してアジャスタの下部固定部でベッドのサイドフレームに強固に固定することを特徴とするベッドの側柵に取り付けるベッド用介助バー。
【発明の詳細な説明】
【技術分野】
【０００１】
本発明は、ベッドの側柵に取り付けるベッド用介助バーに関し、さらに詳しくは、上下に水平枠を有するベッドの側柵に取り付けるベッド用介助バーに関するものである。
【背景技術】
【０００２】
介護用ベッドのサイドフレームとしては、病人や老人等の身体の不自由な人が、就寝時等に転落することを防止し、立ち上がり時の手掛かりにするために、ベッドの側柵に設ける回動手摺(特許文献１、特許文献２)や、所謂、介助バー(特許文献３)が開示されている。
しかし、従来より介護用ベッドには、特許文献４に示すようタイプの側柵が普及しているが、これに回動手摺部を設けた介助バーのタイプを採用するとなると、通常サイドレール全体を取り替える必要があるという不都合があった。或いは、特許文献５に示すように、介助バーを、直接サイドフレームに取り付けなければならないため、そのためにサイドフレームを加工しなければならないといった不都合があった。
【先行技術文献】
【特許文献】
【０００３】
【特許文献１】特開２０１２−７０７６７号公報
【特許文献２】特開平７−２９８９６０号公報
【特許文献３】意匠登録第１２９９７１号公報
【特許文献４】特開２００５−１５２０５７号公報
【特許文献５】意匠登録第１２９９７１号公報
【発明の概要】
【発明が解決しようとする課題】
【０００４】
本発明の課題は、上述した従来装置の不都合に鑑みてなされたもので、従来の介護用等の側柵のあるベッドにおいて、立ち上がり時の手掛かりにするための回動手摺部を設けた介助バーを、簡単に、かつ強固にベッドの側柵に取り付けることができるベッド用介助バーを提供しようとするものである。
【課題を解決するための手段】
【０００５】
上記課題を解決するために、請求項１の発明は、ベッドのサイドフレームに固定する側柵に取り付ける介助バーであって、前記側柵の上下の水平部に、該介助バーの固定部分の上下に設けた水平部の取付部材を介して取り付け、前記固定部分の垂直部の上下に一対の軸受部を設け、該上下の軸受部に回動部分の回動軸を軸支させ、該回動軸の上部には介助バーの回動手摺部の上水平部を接続し、該回動軸の上部には介助バーの回動手摺部の上水平部を接続し、下部には介助バーの手摺支持部を接続し、前記下方の軸受部の底部にアジャスタを設け、該アジャスタで上下の高さを調整してアジャスタの下部固定部でベッドのサイドフレームに強固に固定することを特徴とするベッドの側柵に取り付けるベッド用介助バーである。
【発明の効果】
【０００６】
本発明のベッドの側柵に取り付けるベッド用介助バーによれば、従来の側柵のあるベッドにおいて、この側柵を破棄することなく、この側柵を利用して立ち上がり時の手掛かりにするための回動手摺部を簡単に設けることができ、かつ、回動手摺部の回動軸を強固にベッドのサイドフレームに固定できる。また、サイドフレームを加工する必要もなく、取り外しも簡単である。
【図面の簡単な説明】
【０００７】
【図１】本発明の実施例の介助バーを側柵に取り付けた状態の、通常のベッド全体の斜視図、
【図２】図１において、介助バーの回動手摺部を回動して、介助バーを立ち上がり時の手掛かりとして使用可能とした状態の、ベッド全体の斜視図、
【図３】図１の状態の介助バーの斜視図、
【図４】図３の介助バーの正面図、
【図５】図３の介助バーの右側面図、
【図６】図３のＡ部の取付部に一方のボルトを挿入直前の拡大部分斜視図、
【図７】図２の介助バーの回動手摺部を回動した状態の斜視図、
【図８】図７の平面図である。
【発明を実施するための形態】
【０００８】
本発明のベッドの側柵に取り付ける介助バーの実施例を図面に沿って説明する。
【実施例１】
【０００９】
図１は、実施例の介助バー２をベッド１の側柵１１に取り付けたベッド１の通常の全体図、図２は側柵１１に介助バー２の固定部分３に取り付け、介助バー２の回動部分４の回動手摺部４２を９０度回動させた状態の使用者が使用する場合の全体図である。
図１は、通常のベッド１は、両側に就寝時の転落を防止するために、側柵１１が設けられるが、側柵１１の下部には挿入部１２が設けられ、サイドフレーム１３に設けられた所定の挿入孔１４に挿入して強固に固定されている。
この介助バー２は、図２、図７、図８に示すように、回動部分４の回動手摺部４２は、側柵１１及び固定部分３に対して約９０度回動可能であり、病人や老人等の身体の不自由な人が、ベッド１から立ち上がり時の手掛かりとなるものである。
【００１０】
この介助バー２の詳細について、図３乃至図８を参照して説明するが、図３は、図１の状態の拡大斜視図で、図４はその正面図、図５はその右側面図であるが、固定部分３は、金属製の中空管を約コ字状の曲げた形状で、垂直部３１の上下に上水平部３２と下水平部３３が接続し、この上水平部３２に側柵１１の端上部の水平部１５が平行に接続し、下水平部３３に側柵１１の端下部の水平部１６が平行に接続する。
これらそれぞれの接続部分には、図６に示すように、取付部材６を設けて、上水平部３２と水平部１５、及び、下水平部３３と水平部１６とを、一対の固定部材６１をボルト６２で締めて固着する。なお、固定部材６１の対向する部分の一方側にはボルト６２の頭部を収納する貫通するボルト用バカ孔６３が、他方にはボルト６２の雄ネジに対応する雌ねじを設けたボルト用ネジ孔６４が設けられている。
【００１１】
したがって、介助バー２の固定部分３側の上水平部３２と下水平部３３との内側の間隔Ｘは、既存の側柵１１の端上部の上水平部１５と端下部の下水平枠１６との外側の間隔と管径を考慮して、互いに接する距離である必要がある。要は、介助バー２は、病人や老人等の身体の不自由な人が使用することから、掴まっても強固でなければならず、そのために、接続する側柵１１の固定が強固であることは勿論のこと、側柵１１と固定部分３とは２点支持以上にして、これらの部材がぐらつかないようにする必要がある。
なお、上記内側の間隔Ｘは、既存の側柵１１の上水平枠１５と下水平枠１６との外側の間隔Ｙに応じて適宜に設計変更すればよく、本実施例ではＸとＹの距離はほぼ一致している(図４参照)。
【００１２】
固定部分３の垂直部３１の上下に上軸受部３４と下軸受け部３５を溶接等で固着する。また、上軸受部３４は貫通型の軸受けであり、下軸受部３５は有底の軸受けで、中間に後述する回動部分４の回動軸４１を支える中間有底部３５１(図６参照)を設け、中間有底部３５１と軸受部３５の底部３５２(図６参照)との間にはアジャスタ５の調整部分５１を収納するアジャスタネジ収納部５３(図６参照)が設けられ、調整したネジの上部を収納する。
このアジャスタ５の下部固定部５２は、調整部分５１のネジを回動調整することにより、下部固定部５２の位置を上下に移動させ、サイドフレーム１３の上面に加圧するように位置させ、固定部分３は側柵１１と固定部分３と２点支持に加え３支持となるので、さらに強固にベッドに固定することができる。
なお、調整するネジは
【００１３】
次に、回動部分４を説明するが、回動軸４１は固定部分３の上軸受部３４と下軸受部３５に軸支され、図７及び図８に示すように、回動部分４の上部は水平の回動手摺部４２を設け、下部には手摺支持部４３が設けられている。
したがって、使用者は、回動手摺部４２或いは手摺支持部４３を把持して回動、本実施例では約９０度を回動すれば、この回動手摺部４２を立ち上がり時の手掛かりして立ち上がることができる。
【００１４】
本発明の本実施例のベッドの側柵に取り付けるベッド用介助バーは、以上のような構成であるので、従来の既存の側柵のあるベッドにおいて、この側柵を破棄することなく、この側柵を利用して立ち上がり時の手掛かりにするための回動手摺部を簡単に設けることができ、かつ、回動手摺部の回動軸を強固にベッドのサイドフレームに固定できる。また、サイドフレームを加工する必要もなく、取り外しも簡単となる。
【００１５】
なお、本発明の技術的特徴を損なうものでなければ、上記の実施例に限定されるものでないことは勿論である。
【符号の説明】
【００１６】
１・・ベッド、１１・・側柵、１２・・挿入部、１３・・サイドフレーム、
１４・・挿入孔、１５・・上水平部、１６・・下水平部、
２・・介助バー
３・・固定部分、３１・・垂直部、３２・・上水平部、３３・・下水平部
３４・・上軸受部、３５・・下軸受部、３５１・・中間有底部、３５２・・底部、
４・・回動部分、４１・・回動軸、４２・・回動手摺部、４３・・手摺支持部
５・・アジャスタ、５１・・調整部分、５２・・下部固定部、
５３・・アジャスタネジ収納部、
６・・取付部材、６１・・固定部材、６２・・ボルト、６３・・ボルト用バカ孔、
６４・・ボルト用ネジ孔
【図１】
2016077642.tif 000003
【図２】
2016077642.tif 000004
【図３】
2016077642.tif 000005
【図４】
2016077642.tif 000006
【図５】
2016077642.tif 000007
【図６】
2016077642.tif 000008
【図７】
2016077642.tif 000009
【図８】
2016077642.tif 000010